(57)【特許請求の範囲】
【請求項１】
走行自在なベースマシンにガイドポストを装着し、このガイドポストの外周面にそってチエン部材を無端回動自在に巻装し、このチエン部材の外面に掘削刃を突設した連続壁掘削機において、前記掘削刃をチエン部材の回動方向前側に所定角度回動自在に取付けたことを特徴とする連続壁掘削機。
【請求項２】
前記ガイドポストの地上に位置する部位の一側に前記掘削刃の取付基部に向けてエアを噴射するエア噴射口を設けたことを特徴とする請求項１に記載の連続壁掘削機。
【発明の詳細な説明】
【０００１】
【発明の属する技術分野】
本発明は、地中に連続壁を造成するに適する連続壁掘削機に関する。
【０００２】
【従来の技術】
地中に連続壁を造成する手段として、走行自在なベースマシンにガイドポストを装着し、このガイドポストの外周面にそってチエン部材を無端回動自在に巻装し、このチエン部材の外面に掘削刃が所定のピッチをもって突設された連続壁掘削機が知られている。
【０００３】
上記掘削機を用いて連続壁を造成する場合には、予め掘削された竪穴内にガイドポストを挿入してセットし、チエン部材を回動させながらベースマシンを移動させ、その走行方向に連続穴を掘削しつつ薬液を注入し、掘削土砂と混練して連続壁を造成して行くものである。
【０００４】
【発明が解決しようとする課題】
しかるに上記従来の連続壁掘削機では、掘削時に粘着性の土砂が掘削刃に付着して掘削刃を覆ってしまい、掘削能力が著しく減退してしまうことがある。このような状態が生じたときは、掘削作業を一時中断し、掘削刃を洗浄して掘削能力の回復を図るようにしており、その結果作業能率の著しい低下をきたしていた。
【０００５】
【課題を解決するための手段】
本発明は、掘削刃に付着する土砂を自己の動作により自動的に排除するようにして、常に所期の掘削能力を維持し得るようにすることを課題としてなされたものである。その課題の解決手段としては、チエン部材に取付けられる掘削刃をチエン部材の回動方向前側に所定角度にわたり回動自在に取付け、掘削に寄与した掘削刃が地上に出て再び掘削に向かう際の反転時に掘削刃が自己の重量により前倒し、その際の衝撃により掘削刃に付着している土砂が落とされる。この掘削刃がガイドポストの下端に至り、地中に入れば、地盤の抵抗を受けて元の姿勢に回動する。
【０００６】
請求項２のようにエア噴射口を設ければ、掘削刃の基部に付着した土砂を吹き飛ばすことで付着土砂の排除がなされる。
【０００７】
【発明の実施の形態】
以下、本発明を図面に示す実施の形態を参照して説明する。
【０００８】
図１は本発明による連続壁掘削機の一例の全体を示す側面図で、クローラ型のベースマシン１の前部の基台部２から斜め前方に立ち上がるアーム部３の先端にガイドポスト４が支持されている。このガイドポスト４は、一般の連続壁掘削機の場合と同様に鋼板により水平断面が矩形状の箱型に形成されたもので、その支持手段は、前記アーム部３にガイドポスト４の両側に位置するように圧入用の油圧シリンダ５，５の基部が連結され、そのピストンロッド６，６がガイドポスト４の両側に設けられている連結用ブラケット７，７のピン挿入孔に選択的に挿入するピン８，８により連結され、これによりガイドポスト４が支持されるとともに、上記ピン８，８の差し替えによりガイドポスト４を尺取虫運動により順次圧入させることができるようになっている。
【０００９】
前記ガイドポスト４の内部には、図示しないがパイプ、ホース等からなる薬液供給路が設けられており、この供給路の下端はガイドポスト４の下方位置の側面に開口する薬液注出口９，９に連通されている。
【００１０】
前記ガイドポスト４の上端近くにはモータ（図示省略）により回動されるスプロケット１０が軸着され、またガイドポスト４の下端にはガイド輪１１が軸着されており、これらスプロケット１０とガイド輪１１とにわたりチエン部材１２が巻装されて無端回動自在とされている。
【００１１】
前記チエン部材１２の外面側には掘削刃１３が所定のピッチをもってチエン部材１２の回動方向前方へのみ所定角度転回自在に取付けられている。この実施の形態においては、図２〜図５に示すようにチエン部材１２の１本置きの軸１４，１４…の両端にアーム１５，１５の基部が支持され、これらアーム１５，１５の先端間に矩形板状の取付台１６が固着され、この取付台１６の外面に図３に示すように複数個（図では３個）の掘削刃１３，１３，１３が突設されている。これら掘削刃１３，１３…は、各取付台１６，１６…毎に突出位置が異ならせてあって、全体として水平方向のすべてが掘削刃１３，１３…によりカバーされるようになっている。
【００１２】
前記アーム１５，１５は、チエン部材１２の上昇回動側（図４示）では取付台１６が垂直姿勢となって掘削刃１３，１３…が水平姿勢となり、下降回動側（図５示）では取付台１６が水平姿勢となって掘削刃１３，１３…が真下を向くよう、略９０°にわたり転回自在とされている。上記取付台１６の回動位置の規制は、垂直姿勢時（上昇時）には取付台１６の下面がチエン部材１２の外側面に当接することにより、また水平姿勢時（下降時）には取付台１６の側端面がチエン部材１２の外側面に当接することによりなされる。
【００１３】
また前記取付台１６の掘削刃１３，１３…が取付けられている位置にはエア噴射孔１７，１７…が穿設されている。
【００１４】
前記掘削刃１３は、図４、図５にみられるように側面よりみて台形状を有し、その幅広な底辺部分が取付台１６に固着され、掘削時における土圧に耐抗する構造とされており、先端にはビット１３ａ、１３ａが取付けられている。
【００１５】
前記ガイドポスト４の掘削時に地上に位置する部位の一側（好ましくはチエン部材１２の上昇回動側）に前記取付台１６に向けて圧縮エアを噴射するエア噴射口１８が開口され、エア配管１９を通じて圧縮エアが供給されるように構成されている。図示の実施形態では、上記エア噴射口１８は取付台１６の中央位置と両側位置とに対応するよう３箇所に開口した場合を示しているが、その設置数については適宜選定することができる。
【００１６】
次に作用について説明する。
【００１７】
地中に連続壁を造成するに際しては、ベースマシン１を連続壁造成位置へ移動させ、油圧シリンダ５，５を操作してガイドポスト４をその下端が地表に接する状態にセットする。
【００１８】
次いでモータによりスプロケット１０を駆動し、チエン部材１２を図２において矢印Ｙ方向に回動すると、チエン部材１２の上昇回動側では掘削刃１３，１３…は側方を向いた水平姿勢で上昇し、下降回動側では下を向いた状態で下降する。
【００１９】
チエン部材１２の下端位置において下降移動する掘削刃１３，１３…が地盤に接すると、その地盤の抵抗により押されてアーム１５，１５が回動し、掘削刃１３，１３…は起立姿勢に変換して接触した地盤を掘削する。掘削し終えて上昇に移行する掘削刃１３，１３…は起立姿勢のまま上昇するので横を向いた状態で上昇する。
【００２０】
その上昇途中でエア噴射口１８の存在する位置を通過するとき、そのエア噴射口１８から噴射されている圧縮エアが取付台１６の背面側から吹き付けられ、そのエアはエア噴射孔１７，１７…から掘削刃１３，１３…側に流出して掘削刃１３，１３…に付着している土砂が吹き飛ばされる。
【００２１】
次いでチエン部材１２の上端の反転位置に至ると、取付台１６および掘削刃１３，１３…の重量によりアーム１５，１５が反転して掘削刃１３，１３…が下向きの姿勢に変換する。この反転の際にアーム１５，１５が倒れて止まる衝撃により掘削刃１３，１３…および取付台１６に付着残存していた土砂が振り落とされる。
【００２２】
したがって粘着性のある地盤であっても掘削刃１３，１３…に付着した土砂が除去されて新たな掘削に向かうので、常に掘削刃１３，１３…の掘削能力が最大限に発揮される。
【００２３】
掘削作用については、従来と同様に掘削しながら薬液注出口９，９からモルタル、セメントミルク等の薬液を掘削地盤中に注出し、土砂と混練して連続壁を造成して行く。まず掘削深さについては、油圧シリンダ５，５を伸長させ、ガイドポスト４を押し下げることにより全体の自重も加担して掘進される。油圧シリンダ５，５がストロークエンドに達したら、ガイドポスト４の連結用ブラケット７のピン孔からピン８を抜き、油圧シリンダ５，５のピストンロッド６，６を短縮させ、再びその位置のピン孔にピン８，８を差し替えて再びピストンロッド６，６を伸長作動させることにより全体を地中に圧入しながら掘削を進める。
【００２４】
こうして予定の深さにまで掘削したのちは、従来と同様にベースマシン１を連続壁造成方向へ移動させながら薬液と土砂とを混合させながら地盤を掘削刃１３，１３…により切り進み、連続壁を造成することになる。
【００２５】
【発明の効果】
以上説明したように本発明によれば、掘削機のガイドポストの外周面にそって無端回動するチエン部材の外面に掘削刃を該チエン部材の回動方向前側に所定角度回動するように取付けてあるので、チエン部材の上端の反転時に掘削刃が自己の重量により転回し、その転回の際の衝撃により掘削刃に付着している土砂が振り落とされ、したがって従来のように掘削作業を中断して掘削刃を洗浄するような手数が不要となり、作業能率を大幅に向上することができる。
【００２６】
また請求項２のように、ガイドポストの地上に位置する部位の一側にエア噴射口を設け、掘削刃に向け圧縮エアを吹き付けるようにすれば、掘削刃を必ずしも反転自在とせずとも掘削刃に付着した土砂を落とすことができ、上記と同様な効果を得ることができる。
【図面の簡単な説明】
【図１】本発明の一実施形態を示す全体側面図。
【図２】図１のガイドポストの上方部の詳細図。
【図３】図２のＡ部の正面図。
【図４】図３のＣ−Ｃ断面で、チエン部材の上昇回動側を示す断面図。
【図５】図２のＢ部の図４相当図。
【符号の説明】
１  ベースマシン
４  ガイドポスト
５  油圧シリンダ
７  連結用ブラケット
９  薬液注出口
１０  スプロケット
１１  ガイド輪
１２  チエン部材
１３  掘削刃
１５  アーム
１６  取付台
１７  エア噴射孔
１８  エア噴射口
１９  エア配管
【図１】
0003675530.tif 000002
【図２】
0003675530.tif 000003
【図３】
0003675530.tif 000004
【図４】
0003675530.tif 000005
【図５】
0003675530.tif 000006